(57)【特許請求の範囲】
【請求項１】
薄板材で四辺形状の複数の下段雨よけ板を形成し、その各下段雨よけ板の下端部を浮屋根に枢支するとともにその各下段雨よけ板の上端部を貯槽本体の周壁に立て掛け、隣接する各下段雨よけ板の各側縁部を重ね合わせ、さらに薄板材で四辺形状の複数の上段雨よけ板を形成し、この各上段雨よけ板を前記の各下段雨よけ板の上に取付板を介してこの各上段雨よけ板の上端部を前記周壁に付勢状に立て掛けて配設するとともに、この各上段雨よけ板を浮屋根の外周に沿って隣接する各上段雨よけ板の側端部間に各上段雨よけ板と前記周壁との接触周長ラインが大小に変化しても各上段雨よけ板の作動が阻害されない隔接間隙を設けて突き合わせ並列状に配設し、上記隣接する各上段雨よけ板の側端部間に設けた上記隔接間隙を上から覆うように、帯状の薄板材で形成した接続板を隣接する各上段雨よけ板の一方側の側端部に固着して設けたことを特徴とする浮屋根式貯槽のウェザーシール装置。
【請求項２】
薄板材で四辺形状の複数の下段雨よけ板を形成し、その各下段雨よけ板の下端部を浮屋根に枢支するとともにその各下段雨よけ板の上端部を貯槽本体の周壁に立て掛け、隣接する各下段雨よけ板の各側縁部を重ね合わせ、さらに薄板材で四辺形状の複数の上段雨よけ板を形成し、この各上段雨よけ板を前記の各下段雨よけ板の上に取付板を介してこの各上段雨よけ板の上端部を前記周壁に付勢状に立て掛けて配設するとともに、この各上段雨よけ板を浮屋根の外周に沿って隣接する各上段雨よけ板の側端部間に所定の隔接間隙を設けて突き合わせ並列状に配設し、上記隣接する各上段雨よけ板の側端部間に設けた上記隔接間隙を覆うように、帯状の薄板材で形成した接続板を隣接する各上段雨よけ板の一方側の側端部に固着して設け、上記下端部を浮屋根に枢支する各下段雨よけ板の下端部下方の浮屋根外周に沿って開渠状に形鋼等で形成した雨水樋を設け、その雨水樋の排水口に油吸着材を充填した油水分離器を設けたことを特徴とする浮屋根式貯槽のウェザーシール装置。
【発明の詳細な説明】
【０００１】
【発明の属する技術分野】
この発明は、浮屋根式貯槽におけるウェザーシール装置に関するものである。
【０００２】
【従来の技術】
貯槽本体内の貯蔵液に浮屋根を浮かべる浮屋根式貯槽においては、貯槽本体の円筒状の周壁と、円盤状の浮屋根との間の間隙から貯槽本体内へ雨水が侵入しないように、一般的には、例えば図５に示すようなウェザーシール装置が備えられている。
【０００３】
この従来のウェザーシール装置は、四辺形状の薄板材で形成した複数の雨よけ板２０を、その各雨よけ板２０の側縁部２０Ｓを重ね合わせて、浮屋根２の上面外周に沿って並列状に順次配設し、かつ各雨よけ板２０の下端部を浮屋根２の上面に取付けたヒンジ２１に枢支するとともに、その各雨よけ板２０の上端部を貯槽本体の周壁１の内面に立て掛け、周壁１と浮屋根２との間の間隙３の上方を覆うように配設して形成している。
【０００４】
そして、各雨よけ板２０の上端部には、ウレタンフォームのような膨張収縮が可能な材料を導電性ゴム膜などの被膜材で包んで丸棒形状に形成した図５のスライド２２、或は真ちゅうなどの導電性非鉄金属で割円筒形状に形成したスライドが取付けられている。
【０００５】
これらのスライド２２は、貯槽本体内の貯蔵液に浮かべられている浮屋根２が貯蔵液の増減に従って昇降する際に、貯槽本体周壁１の内面に沿って各雨よけ板２０の上端部が円滑に摺動し、かつ浮屋根２に帯電した静電気を周壁１を通して安全に放電し、各雨よけ板２０の上端部と周壁１との接触を液密にして周壁１の内面に沿って流下してくる雨水の貯槽本体内への侵入を防止する。
【０００６】
また、そのスライド２２を取付けた従来のウェザーシールド装置は、各雨よけ板２０の下端部を浮屋根２の上面に取付けたヒンジ２１に枢支するとともに、その各雨よけ板２０の上端部を貯槽本体周壁１の内面に立て掛けてなるもので、貯蔵液に浮かべられている浮屋根２が風等を受けて貯蔵液面を水平移動し、周壁１と浮屋根２との間の間隙３が拡大、或は縮小したとしても、ヒンジ２１に枢支されている各雨よけ板２０の下端部を支点にして周壁１に立て掛けている各雨よけ板２０が回動起伏し、拡大、或は縮小した間隙３を常に各雨よけ板２０が覆い、間隙３からの雨水侵入を防止している。
【０００７】
更に、上記従来のウェザーシールド装置は、四辺形状の薄板材からなる複数の雨よけ板２０を、その各雨よけ板２０の側縁部２０Ｓを順次重ね合わせてなるもので、貯槽本体周壁１と浮屋根２との間の間隙３が拡大、或は縮小し、周壁１に立て掛けている各雨よけ板２０が回動起伏して、各雨よけ板２０の周壁１との接触周長ラインが大小に変化したとしても、各雨よけ板２０の側縁部２０Ｓの重ね合わせ代が追随して変動し、各雨よけ板２０の隣接相互間に雨水が侵入する間隙の発生を防止している。
【０００８】
【発明が解決しようとする課題】
しかし、上記従来のウェザーシール装置は、複数の雨よけ板の側縁部を重ね合わせて並列状に配設しているので、雨よけ板２０の周壁２との接触状況を示した図６の概略断面説明図のように、薄板材からなる雨よけ板側縁部２０Ｓの重ね部に重ね厚さ分のわずかな段差状の隙間２３が周壁２と接触する部分に生じ、そのわずかな隙間２３から周壁１の内面に沿って流下してきた雨水が、貯槽本体内へ侵入する問題があった。
【０００９】
また、図示を省略するが、この問題を解決するために、雨よけ板を上下二段に配設し、上段雨よけ板側縁部の重ね部と下段雨よけ板側縁部の重ね部が上下に重ならないように上下の各雨よけ板を配設し、上段雨よけ板重ね部のわずかな隙間を通過した雨水を下段雨よけ板が侵入防止する構造に形成した二段式雨よけ板のウェザーシール装置が考えられている。しかし、この二段式雨よけ板のウェザーシール装置においても、降雨量が多くなると、上段雨よけ板の重ね部に生じているわずかな隙間を通って流下してきた雨水が周壁に接している下段雨よけ板の上端部に沿って周壁を横移動し、下段雨よけ板の重ね部に生じているわずかな隙間を通り、貯槽本体内へ侵入してしまう恐れがあった。
【００１０】
この発明は、上述のような従来技術が有する問題点に鑑みてなされたもので、ウェザーシール装置の各雨よけ板の周方向接続部からの雨水侵入をより完璧に防止し、貯槽本体の周壁に立て掛けた雨よけ板の上端部と周壁との間からの雨水侵入も更に完璧に防止するとともに、貯槽本体の周壁に沿って流下してきた油分を含む雨水から油分を除去することのできる浮屋根式貯槽のウェザーシール装置を提供するものである。
【００１１】
【課題を解決するための手段】
請求項１に係る発明の浮屋根式貯槽のウェザーシール装置は、薄板材で四辺形状の複数の下段雨よけ板を形成し、その各下段雨よけ板の下端部を浮屋根に枢支するとともにその各下段雨よけ板の上端部を貯槽本体の周壁に立て掛け、隣接する各下段雨よけ板の各側縁部を重ね合わせ、さらに薄板材で四辺形状の複数の上段雨よけ板を形成し、この各上段雨よけ板を前記の各下段雨よけ板の上に取付板を介してこの各上段雨よけ板の上端部を前記周壁に付勢状に立て掛けて配設するとともに、この各上段雨よけ板を浮屋根の外周に沿って隣接する各上段雨よけ板の側端部間に各上段雨よけ板と前記周壁との接触周長ラインが大小に変化しても各上段雨よけ板の作動が阻害されない隔接間隙を設けて突き合わせ並列状に配設し、上記隣接する各上段雨よけ板の側端部間に設けた上記隔接間隙を上から覆うように、帯状の薄板材で形成した接続板を隣接する各上段雨よけ板の一方側の側端部に固着して設けてなるもので、各上段雨よけ板の周方向接続部からの雨水侵入をより完璧に防止するように形成したものである。
【００１２】
請求項２に係る発明の浮屋根式貯槽のウェザーシール装置は、薄板材で四辺形状の複数の下段雨よけ板を形成し、その各下段雨よけ板の下端部を浮屋根に枢支するとともにその各下段雨よけ板の上端部を貯槽本体の周壁に立て掛け、隣接する各下段雨よけ板の各側縁部を重ね合わせ、さらに薄板材で四辺形状の複数の上段雨よけ板を形成し、この各上段雨よけ板を前記の各下段雨よけ板の上に取付板を介してこの各上段雨よけ板の上端部を前記周壁に付勢状に立て掛けて配設するとともに、この各上段雨よけ板を浮屋根の外周に沿って隣接する各上段雨よけ板の側端部間に隔接間隙を設けて突き合わせ並列状に配設し、上記隣接する各上段雨よけ板の側端部間に設けた上記隔接間隙を覆うように、帯状の薄板材で形成した接続板を隣接する各上段雨よけ板の一方側の側端部に固着して設け、上記下端部を浮屋根に枢支する各下段雨よけ板の下端部下方の浮屋根外周に沿って開渠状に形鋼等で形成した雨水樋を設け、その雨水樋の排水口に油吸着材を充填した油水分離器を設けてなる浮屋根式貯槽のウェザーシール装置であり、貯槽本体の周壁に沿って流下してきた油分を含む雨水から油分を除去するように形成したものである。
【００１３】
なお、上記貯槽本体の周壁に立て掛ける各上段雨よけ板の上端部先端縁を凹凸状の山谷形状に形成するとともにその山谷形状に形成した山部の頂点部又は山部の登り傾斜部を上記各上段雨よけ板の側端部に形成した場合には、貯槽本体の周壁に立て掛けた各上段雨よけ板の上端部先端縁と周壁の間からの雨水侵入を防止し、かつ各上段雨よけ板周方向の接続部からの雨水侵入をも更に完璧に防止することができる。
【００１４】
【発明の実施の形態】
この発明に係る浮屋根式貯槽のウェザーシール装置実施形態の一例を、図１及至図４に基いて説明する。図示の実施形態例は、雨よけ板を上下二段に配設した二段式雨よけ板のウェザーシール装置の事例であり、図１は、その装置の概要を一部省略して示した部分斜視説明図、図２は、図１のウェザーシール装置の概要断面説明図、図３は、図２のウェザーシール装置上端部を拡大して示した概要断面説明図、図４は、各上段雨よけ板の各側端部間に設ける隔接間隙の状況を、一部省略して示した部分斜視説明図である。
【００１５】
図１及び図２に示すように、この実施形態例では、各下段雨よけ板５を前述した従来のウェザーシール装置のように各側縁部５Ｓ、５Ｓを重ね合わせた構造に形成し、その各下段雨よけ板５の上に配設する各上段雨よけ板４を、その各上段雨よけ板４の隣接する各側端部４Ｓ、４Ｓ間に所定の隔接間隙６を設けるとともにその隔接間隙６を覆う接続板７を隣接する各上段雨よけ板４、４の一方側の側端部４Ｓに固着した構造とするもので、下段雨よけ板５がウェザーシール装置の荷重をしっかり支持して耐久性を高め、上段雨よけ板４が雨水侵入をより完璧に防止する二段式雨よけ板構造のウェザーシール装置に形成している。
【００１６】
すなわち、下段雨よけ板５は、鋼板等の薄板材で形成した四辺形状の複数の下段雨よけ板５、５、・・・を、その各側縁部５Ｓ、５Ｓを重ね合わせて浮屋根２の上面外周に沿って順次配設し、かつその各下段雨よけ板５の下端部５Ｂを浮屋根２の上面に取り付けたヒンジ８に枢支するとともに、その各下段雨よけ板５の上端部を貯槽本体周壁１の内面に立て掛けて設置し、前述した従来のウェザーシール装置（図５）の構造のように各側縁部５Ｓ、５Ｓを重ね合わせた構造に形成している。
【００１７】
なお、下段雨よけ板５の各上端部には、真ちゅう等の導電性非鉄金属材で割円筒形状に形成した図示のスライド９、或はウレタンフォームのような膨張収縮が可能な材料を導電性ゴム膜等の被膜材で包んで丸棒形状に形成したスライド（図５の符号２２と同様な構造のスライド）を取付ける。
【００１８】
そして、下段雨よけ板５の上に配設する上段雨よけ板４は、まず、鋼板等の薄板材で四辺形状の複数の上段雨よけ板４、４、・・・を形成し、その各上段雨よけ板４の下端部を、浮屋根２に枢支された下段雨よけ板５の上面上部寄りに取付板１０を介してボルト・ナット等を用いた螺着或はリベット等を用いた鋲着等で固定するとともに、その各上段雨よけ板４の上端部を貯槽本体の周壁１に立て掛け、かつその複数の各上段雨よけ板４を浮屋根２の外周に沿って隣接する各上段雨よけ板４、４の側端部４Ｓ、４Ｓ間に所定の隔接間隙６を設けて突き合わせ並列状に配設する。
【００１９】
取付板１０は、貯槽本体の周壁１に上段雨よけ板４の上端部を付勢状に立て掛け、周壁１への密着性が高められるように帯状の板バネ材等で形成する。
【００２０】
そして、図１と図４に示したように、鋼板等の撓み性を有する薄板材で帯板状に形成した接続板７を、隣接する各上段雨よけ板４、４の側端部４Ｓ、４Ｓ間に設けた所定の隔接間隙６を覆うように隣接する各上段雨よけ板４、４の一方側の側端部４Ｓにスペーサ７Ｓを挟持しボルト・ナット等を用いた螺着やリベット等を用いた鋲着等で固着して取付ける。
【００２１】
この隣接する各上段雨よけ板４、４の一方側の側端部４Ｓに固着する接続板７は、図示のように、他方側の上段雨よけ板側端部４Ｓの周方向及び回動起伏方向の動きを阻害することがないようにスペーサ７Ｓを挟持し、かつ他方側の上段雨よけ板４の側端部４Ｓを被覆するとともに、隣接する上段雨よけ板の側端部４Ｓ、４Ｓの上端部を被覆し、各上段雨よけ板４、４周方向接続部の隔接間隙６からの雨水侵入を防止するように形成する。
【００２２】
更に、この接続板７の上端部先端縁には、図３の拡大断面図に示したように、先端を先細りにし、かつその上面を水切り用の下向傾斜面の形状に形成した導電性ゴム等の弾性材からなるライニング材７Ｌを取付け、周壁１に沿って流下してきた雨水を水切りして接続板７の上面に案内し、間隙３や隔接間隙６に雨水が侵入しないように形成する。
【００２３】
なお、隣接する各上段雨よけ板４、４の側端部４Ｓ、４Ｓ間に設ける所定の隔接間隙６は、周壁１と浮屋根２との間の間隙３が拡大、或は縮小し、浮屋根２に枢支された下段雨よけ板５に取付けた上段雨よけ板４が回動起伏して、その各上段雨よけ板４の周壁１との接触周長ラインが大小に変化したとしても、隣接する各上段雨よけ板４、４の側端部４Ｓ、４Ｓ同士が衝突しない間隔以上で、かつ各上段雨よけ板４の側端部４Ｓに固着した接続板７が隔接間隙６を覆うことのできる間隔以内とする。
【００２４】
また、各上段雨よけ板４の上端部には、図１に示したように、鋼板等の撓み性を有する薄板材で凹凸状の山谷形状に形成した上端部先端縁のスライド１１を取付ける。
【００２５】
この上端部先端縁のスライド１１は、谷部１１Ｖ、１１Ｖを間に介して中央部と両側縁に山部１１Ｍを設けて山谷の形状に形成し、その両側縁山部１１Ｍ、１１Ｍの頂点部を各上段雨よけ板４の両側端部４Ｓ、４Ｓに形成し、図３の拡大断面図に示したように、そのスライド１１の上端部先端縁には、先端を先細りにするとともに、その上面を水切り用の下向傾斜面の形状に形成した導電性ゴム等の弾性材からなるライニング材１１Ｌを取付けている。
【００２６】
しかし、各上段雨よけ板４の上端部に取付けるスライド１１の形状は、図１の実施形態例の形状に限定する必要がなく、周壁１の内面に沿って流下してきた雨水を、各上段雨よけ板４の両側端部４Ｓ、４Ｓ、つまり隔接間隙６が設けられる側端部４Ｓの側から中央部の方へ案内し、水切りするような形状、つまり山部１１Ｍの頂点部又は山部１１Ｍの登り傾斜部を各上段雨よけ板４の両側端部４Ｓ、４Ｓに形成した形状であれば、その他の形状を採用してもよい。
【００２７】
その他の形状としては、図示を省略するが、例えば山谷形状の谷部を中央部に一つ設けた形状、或は数多く形成した山谷形状の山部の登り傾斜部を各上段雨よけ板の両側端部に形成した形状等がある。
【００２８】
上述のように上段雨よけ板４は、周壁１との接触周長ラインが大小に変化したとしても、各上段雨よけ板４の作動が阻害されないように所定の隔接間隙６を設け、かつその隔接間隙６を覆う接続板７を設けて、前記従来のウェザーシール装置の各雨よけ板２０の重ね部に生じる隙間２３の発生を防ぎ、周壁１と各上段雨よけ板４との密着性を高め、かつ各上段雨よけ板４の周方向接続部からの雨水侵入をより完璧に防止するように形成する。
【００２９】
そして、各上段雨よけ板４のスライド１１を取付けた上端部先端縁は、円弧状内壁面を有する周壁１との密着性が高まる凹凸状の山谷形状に形成して周壁１との間からの雨水侵入を防止し、かつ両側端部４Ｓ、４Ｓから中央部へ雨水を案内して水切りするように山谷形状に形成した山部１１Ｍの頂点部又は山部１１Ｍの登り傾斜部を各上段雨よけ板４の両側端部４Ｓ、４Ｓに形成して隔接間隙６からの雨水侵入を防止する構造に形成する。
【００３０】
なお、上述の実施形態例の構造に形成した二段式雨よけ板のウェザーシール装置は、実験において、雨水侵入を０．５％以下、つまり、ほぼ完璧な雨水侵入防止効果が得られている。
【００３１】
また、上段雨よけ板４を上に取付けた下段雨よけ板５の下端部下方の浮屋根２外周に沿って断面コの字やＵ字の開渠状に形鋼等で形成した雨水樋１２を設け、その雨水樋１２の排水口１２Ｅを設けた浮屋根２の上面に、ポリプロピレン材等で形成した油吸着マット等の油吸着材１３を積層状に充填した箱形容器状の油水分離器１４を設ける。
【００３２】
この浮屋根２の上面に設ける油水分離器１４は、周壁１の内面を伝わって油分を含有し、上段雨よけ板４、下段雨よけ板５に導かれ、雨水樋１２で集められて流下してきた雨水を、雨水樋１２の排水口１２Ｅから油水分離器１４へ導入し、油吸着材１３で油分を吸着除去した後、その雨水を油水分離器１４の流出口１４Ｅから浮屋根２の上面に排出するように形成する。油分を除去して浮屋根２の上面に排出された雨水は、浮屋根２に設けられているルーフドレン（図示省略）から貯槽の外部へ排出する。
【００３３】
なお、上述の実施形態例では、下段雨よけ板５を各側縁部５Ｓ、５Ｓを重ね合わせた従来のウェザーシール装置の構造に形成し、その下段雨よけ板５の上に配設する上段雨よけ板４を、その各側端部４Ｓ、４Ｓに隔接間隙６を設けて突き合わせ状に配設し、その隔接間隙６を接続板７で覆う構造、つまり本発明に係る構造に形成して上下二段式構造のウェザーシール装置を形成している。
【００３４】
しかし、図示を省略するが、上記実施形態例の下段雨よけ板５を、隔接間隙を有する突き合わせ並列状に配設するとともにその各側端部間の隔接間隙を接続板で覆う構造、つまり下段雨よけ板を本発明に係る前記上段雨よけ板の構造と同様な構造に形成し、上段雨よけ板を万一雨水が通過したとしても下段雨よけ板が遮断する、雨水侵入防止の完璧性を高めた構造の上下二段式雨よけ板のウェザーシール装置に形成してもよい。
【００３５】
また、同じく図示を省略するが、上段雨よけ板を備えない一段式雨よけ板構造のウェザーシール装置において、四辺形状の薄板材で形成した複数の雨よけ板を、その各雨よけ板の下端部を浮屋根に枢支するとともにその各雨よけ板の上端部を貯槽本体の周壁に立て掛け、かつその複数の各雨よけ板を、浮屋根の外周に沿って隣接する各雨よけ板の側端部間に所定の隔接間隙を設けた突き合わせ並列状に配設し、隣接する各雨よけ板の側端部間に設けた所定の隔接間隙を覆うように、帯状の薄板材で形成した接続板を隣接する各雨よけ板の一方側の側端部に固着した本発明に係る構造の一段式雨よけ板構造のウェザーシール装置を形成し、構造が簡単で経済的、かつ雨水侵入防止性能に優れたウェザーシール装置を形成することもできる。
【００３６】
【発明の効果】
叙述の説明で明らかなように、この発明に係る浮屋根式貯槽のウェザーシール装置は、次の効果を奏するものである。
【００３７】
請求項１に係る発明の浮屋根式貯槽のウェザーシール装置は、薄板材で四辺形状の複数の上段雨よけ板を形成し、この各上段雨よけ板を前記の各下段雨よけ板の上に取付板を介してこの各上段雨よけ板の上端部を前記周壁に付勢状に立て掛けて配設するとともに、この各上段雨よけ板を浮屋根の外周に沿って隣接する各上段雨よけ板の側端部間に各上段雨よけ板と前記周壁との接触周長ラインが大小に変化しても各上段雨よけ板の作動が阻害されない隔接間隙を設けて突き合わせ並列状に配設し、上記隣接する各上段雨よけ板の側端部間に設けた上記隔接間隙を上から覆うように、帯状の薄板材で形成した接続板を隣接する各上段雨よけ板の一方側の側端部に固着して形成しているので、上段雨よけ板において、周壁との接触周長ラインが大小に変化したとしても、各上段雨よけ板の作動は阻害されず、かつ従来の雨よけ板側縁部を重ねたウェザーシール装置に発生する隙間が生じないために、周壁と各上段雨よけ板との密着性が高まり、上段雨よけ板の周壁との接触部及び各上段雨よけ板の周方向接続部からの雨水侵入をより完璧に防止することができる。
【００３８】
請求項２に係る発明の浮屋根式貯槽のウェザーシール装置は、薄板材で四辺形状の複数の下段雨よけ板を形成し、その各下段雨よけ板の下端部を浮屋根に枢支するとともにその各下段雨よけ板の上端部を貯槽本体の周壁に立て掛け、隣接する各下段雨よけ板の各側縁部を重ね合わせ、さらに薄板材で四辺形状の複数の上段雨よけ板を形成し、この各上段雨よけ板を前記の各下段雨よけ板の上に取付板を介してこの各上段雨よけ板の上端部を前記周壁に付勢状に立て掛けて配設するとともに、この各上段雨よけ板を浮屋根の外周に沿って隣接する各上段雨よけ板の側端部間に所定の隔接間隙を設けて突き合わせ並列状に配設し、上記隣接する各上段雨よけ板の側端部間に設けた上記隔接間隙を覆うように、帯状の薄板材で形成した接続板を隣接する各上段雨よけ板の一方側の側端部に固着して設け、上記下端部を浮屋根に枢支する各下段雨よけ板の下端部下方の浮屋根外周に沿って開渠状に形鋼等で形成した雨水樋を設け、その雨水樋の排水口に油吸着材を充填した油水分離器を設けたので、周壁の内面を伝わって油分を含有し流下してきた雨水を、雨よけ板で導き、雨水樋で集めて、雨水樋の排水口から油水分離器へ導入し、油吸着材で油分を除去した雨水を、浮屋根を介して貯槽の外部へ排水するので、油のたれ流し公害を防止し、かつ浮屋根の汚れを防止することができる。
【００３９】
なお、各上段雨よけ板の上端部先端縁を凹凸状の山谷形状に形成し、その山谷形状に形成した山部の頂点部又は山部の登り傾斜部を各雨よけ板の側端部に形成した場合には、各上段雨よけ板の上端部先端縁と円弧状内壁面を有する周壁との密着性が高められて周壁と上端部先端縁との間からの雨水侵入を更に完璧に防止することができ、かつ周壁を流下してきた雨水を各上段雨よけ板の側端部から中央部へ案内して水切りするために各上段雨よけ板の側端部間に設けた隔接間隙からの雨水侵入を更に完璧に防止することができる。
【００４０】
【図面の簡単な説明】
【図１】  この発明に係る浮屋根式貯槽のウェザーシール装置実施形態の一例を示し、一部を省略した概要斜視説明図である。
【図２】  図１実施形態の側断面概要を、一部省略して示した断面説明図である。
【図３】  図２の一部を拡大し、一部省略して示した概要部分断面説明図である。
【図４】  図１の隔接間隙の状況を拡大し、一部省略して示した概要部分斜視説明図である。
【図５】  従来のウェザーシール装置の概要を一部省略して示した斜視説明図である。
【図６】  図５の雨よけ板重ね部の状況を、一部省略して示した概要部分断面説明図である。
【符号の説明】
１  貯槽本体の周壁
２  浮屋根
３  間隙
４  上段雨よけ板
４Ｓ  側端部
５  下段雨よけ板
５Ｓ  側縁部
６  隔接間隙
７  接続板
７Ｌ  ライニング材
７Ｓ  スペーサ
８  ヒンジ
９  スライド
１０  取付板
１１  スライド
１１Ｌ  ライニング材
１１Ｍ  山部
１１Ｖ  谷部
１２  雨水樋
１２Ｅ  排水口
１３  油吸着材
１４  油水分離器
１４Ｅ  流出口
２０  雨よけ板
２０Ｓ  側縁部
２０Ｂ  下端部
２０Ｔ  上端部
２１  ヒンジ
２２  スライド
２３  隙間
【図１】
0004126464.tif 000002
【図２】
0004126464.tif 000003
【図３】
0004126464.tif 000004
【図４】
0004126464.tif 000005
【図５】
0004126464.tif 000006
【図６】
0004126464.tif 000007